(57)【要約】【課題】マルチパス等化処理を行う受信変換装置と、ＳＡＷフィルタを二段備えて隣接チャンネル信号を抑圧する受信変換装置との両方に対応可能なマルチパス等化内蔵受信変換装置を提供する。【解決手段】本発明に係るマルチパス等化内蔵受信変換装置は、第１及び第２のスイッチ１９，１１０を切り替えることにより、マルチパス等化処理、バイパス処理及び二段のＳＡＷフィルタによる隣接チャンネル信号の抑圧処理のいずれかに対応することが可能となる。これにより、マルチパス等化内蔵受信変換装置は、マルチパス等化処理を行う受信変換装置と、ＳＡＷフィルタを二段備えて隣接チャンネル信号を抑圧する受信変換装置との両方に対応可能となる。【選択図】      図１
2010154118.tif 000002
【特許請求の範囲】
【請求項１】
無線周波数帯の放送波信号を中間周波数帯のＩＦ（Intermediate Frequency）信号に変換する周波数変換手段と、
前記ＩＦ信号における予め設定された周波数帯の信号成分のみを通過させる第１の帯域通過フィルタと、
前記第１の帯域通過フィルタを通過したＩＦ信号を２系統に分配する第１の分配手段と、
前記第１の分配手段で分配された一方のＩＦ信号を受け取り、マルチパス等化を行うマルチパス等化手段と、
前記第１の分配手段で分配された他方のＩＦ信号をさらに２系統に分配する第２の分配手段と、
前記第２の分配手段で分配された一方のＩＦ信号における前記予め設定された周波数帯の信号成分のみを通過させる第２の帯域通過フィルタと、
前記第２の分配手段で分配された他方のＩＦ信号をバイパスするバイパス手段と、
前記第２の帯域通過フィルタを通過したＩＦ信号及び前記バイパス手段でバイパスされたＩＦ信号のいずれか一方を選択的に導出する第１の選択手段と、
前記マルチパス等化手段からのＩＦ信号及び前記第１の選択手段により導出されるＩＦ信号のいずれか一方を選択的に導出する第２の選択手段と
を具備することを特徴とするマルチパス等化内蔵受信変換装置。
【発明の詳細な説明】
【技術分野】
【０００１】
本発明は、例えば地上デジタル放送システムに用いられ、受信した放送波信号を周波数変換すると共に、マルチパス遅延波により歪んだ周波数成分を補償して等化するマルチパス等化内蔵受信変換装置に関する。
【背景技術】
【０００２】
地上デジタル放送システムでは、放送サービスエリアの拡大および難視聴地域の解消を目的として、多数の中継装置を所定のエリアに分散配置し、各中継装置にてＯＦＤＭ（Orthogonal Frequency Division Multiplexing：直交周波数分割多重）方式による放送波信号を多段中継する方式が採用されている。この種のシステムにおける中継装置には、受信変換装置が備えられている。受信変換装置は、受信された放送波信号を中間周波数帯のＩＦ信号に変換し、このＩＦ信号に含まれたノイズ成分等を補償する機能を有する。中継装置は、受信変換装置でノイズ成分等が補償されたＩＦ信号を無線周波数帯の放送波信号へ変換し、後段の中継装置又はサービスエリア内のユーザへ再送信する。
【０００３】
一般に受信変換装置には、以下に示す二種類の受信変換装置がある。一つは、一段のＳＡＷ（Surface Acoustic Wave:表面弾性波）フィルタと、マルチパス等化部とを備え、放送波信号に含まれるマルチパスによる歪みを抑圧するものである。この種の受信変換装置では、マルチパス等化部が故障等した場合、ＳＡＷフィルタを通過したＩＦ信号を、マルチパス等化部をバイパスして後段へ出力するようにしている（例えば、特許文献１参照）。もう一つの受信変換装置は、二段のＳＡＷフィルタを備え、受け取った放送波信号に対して二度の帯域通過処理を行うことで隣接チャンネル信号の妨害を抑圧する。
【０００４】
ところで、中継装置が設置される中継所では、通信を行う放送局及び放送波信号のチャンネルに応じて、一段のＳＡＷフィルタ及びマルチパス等化部を備えた受信変換装置を搭載する中継装置と、ＳＡＷフィルタを二段備えた受信変換装置を搭載する中継装置とが混在する場合がある。一般に中継所では、中継装置の故障等に備えて、受信変換装置の予備機を準備している。そのため、上述のように二種類の中継装置が混在するような中継所では、それぞれの受信変換装置の予備機を準備しておかねばならず負担となっていた。
【特許文献１】特開平１０−２３３６３０号公報
【発明の開示】
【発明が解決しようとする課題】
【０００５】
以上のように、中継装置を設置する中継所において、マルチパス等化処理を行う受信変換装置を搭載する中継装置と、ＳＡＷフィルタを二段備えて隣接チャンネル信号を抑圧する受信変換装置を搭載する中継装置とが混在する場合、それぞれの受信変換装置の予備機を準備するのに負担を強いられていた。
【０００６】
この発明は上記事情によりなされたもので、その目的は、マルチパス等化処理を行う受信変換装置と、ＳＡＷフィルタを二段備えて隣接チャンネル信号を抑圧する受信変換装置との両方に対応可能なマルチパス等化内蔵受信変換装置を提供することにある。
【課題を解決するための手段】
【０００７】
上記目的を達成するため、本発明に係るマルチパス内蔵受信変換装置は、無線周波数帯の放送波信号を中間周波数帯のＩＦ（Intermediate Frequency）信号に変換する周波数変換手段と、前記ＩＦ信号における予め設定された周波数帯の信号成分のみを通過させる第１の帯域通過フィルタと、前記第１の帯域通過フィルタを通過したＩＦ信号を２系統に分配する第１の分配手段と、前記第１の分配手段で分配された一方のＩＦ信号を受け取り、マルチパス等化を行うマルチパス等化手段と、前記第１の分配手段で分配された他方のＩＦ信号をさらに２系統に分配する第２の分配手段と、前記第２の分配手段で分配された一方のＩＦ信号における前記予め設定された周波数帯の信号成分のみを通過させる第２の帯域通過フィルタと、前記第２の分配手段で分配された他方のＩＦ信号をバイパスするバイパス手段と、前記第２の帯域通過フィルタを通過したＩＦ信号及び前記バイパス手段でバイパスされたＩＦ信号のいずれか一方を選択的に導出する第１の選択手段と、前記マルチパス等化手段からのＩＦ信号及び前記第１の選択手段により導出されるＩＦ信号のいずれか一方を選択的に導出する第２の選択手段とを具備する。
【０００８】
上記構成によるマルチパス等化内蔵受信変換装置では、第１及び第２の選択手段で導出する信号を選択することにより、マルチパス等化処理、バイパス処理及び二段の帯域通過フィルタによる隣接チャンネル信号の抑圧処理のいずれかに対応することが可能となる。これにより、マルチパス等化内蔵受信変換装置の使用態様を状況に応じて切り替えることが可能となる。
【発明の効果】
【０００９】
この発明によれば、マルチパス等化処理を行う受信変換装置と、ＳＡＷフィルタを二段備えて隣接チャンネル信号を抑圧する受信変換装置との両方に対応可能なマルチパス等化内蔵受信変換装置を提供することができる。
【発明を実施するための最良の形態】
【００１０】
以下、図面を参照しながら本発明に係るマルチパス等化内蔵受信変換装置の実施の形態について詳細に説明する。
【００１１】
図１は、本発明の一実施形態に係るマルチパス等化内蔵受信変換装置の機能構成を示すブロック図である。マルチパス等化内蔵受信変換装置は、受信されたマイクロ波帯の放送波信号を受け取り、中間周波数帯のＩＦ（Intermediate Frequency）信号に周波数変換すると共に、信号に含まれるノイズ成分等を抑圧して後段の装置（図示せず）へ出力する。
【００１２】
ダウンコンバータ１１は、シンセサイザ１２からの局部発信信号に基づいて、受け取った放送波信号を所望の中間周波数に周波数変換する。地上デジタル放送で用いられる中継装置では、この中間周波数には３７．１５ＭＨｚが採用されている。シンセサイザ１２は、外部から入力される周波数１０ＭＨｚのリファレンス信号を基準にしてこの局部発振信号を生成する。
【００１３】
ＳＡＷ（Surface Acoustic Wave：表面弾性波）フィルタ１３は、所望のチャンネルの信号のみが抽出されるように、そのフィルタ特性が設定されている。ダウンコンバータ１１で周波数変換された信号は、ＳＡＷフィルタ１３を通過することで、所望のチャンネル信号のみが抽出される。ＳＡＷフィルタ１３を通過した信号は、分配部１４で２系統に分配され、一方がマルチパス等化部１５へ供給され、他方が分配部１６へ供給される。
【００１４】
マルチパス等化部１５は、複数の遅延波が存在するマルチパス環境下においてマルチパス遅延波により歪んだ放送波信号の周波数成分を補償して等化するものである。マルチパス等化部１５は、分配部１４からのＩＦ信号におけるマルチパスによる波形歪みを補償する。この際、マルチパス等化部１５の出力は、周波数の非常に低いＩＦ信号（Ｌｏｗ−ＩＦ）となる。そのため、マルチパス等化後の信号は、マルチパス等化部１５の後段に設置されたアップコンバータ１７により、所望の中間周波数帯のＩＦ信号に変換され、第２のスイッチ１１０へ出力される。
【００１５】
分配部１６は、分配部１４で分配された他方のＩＦ信号を受け取り、さらに２系統に分配する。分配された一方のＩＦ信号はＳＡＷフィルタ１８へ供給され、他方のＩＦ信号はＳＡＷフィルタ１８を迂回して第１のスイッチ１９へ供給される。
【００１６】
ＳＡＷフィルタ１８は、所望のチャンネルの信号のみが抽出されるように、そのフィルタ特性が設定されている。分配部１６で分配されたＩＦ信号は、ＳＡＷフィルタ１８を通過することで、ＳＡＷフィルタ１３により抽出されたチャンネル信号と同一のチャンネル信号が再度抽出される。ＳＡＷフィルタ１８を通過した信号は、第１のスイッチ１９へ供給される。
【００１７】
第１のスイッチ１９は、分配部１６で分配されてバイパスされたＩＦ信号と、ＳＡＷフィルタ１８を通過したＩＦ信号とを受け取り、外部からの指示に従って、いずれか一方のＩＦ信号を選択的に導出するものである。
【００１８】
第２のスイッチ１１０は、アップコンバータ１７からのＩＦ信号と、スイッチ１９からのＩＦ信号とを受け取り、外部からの指示に従って、いずれか一方のＩＦ信号を選択的に導出するものである。
【００１９】
第２のスイッチ１１０から導出されたＩＦ信号は、ＡＧＣ（Automatic Gain Control：自動利得制御）部１１１で信号の強度を調整され、後段の装置（図示せず）へ供給される。
【００２０】
次に、上記構成における動作を説明する。マルチパス等化内蔵受信変換装置は、ユーザにより第１及び第２のスイッチ１９，１１０が切り替えられて使用される。マルチパス等化内蔵受信変換装置は、第１及び第２のスイッチ１９，１１０が切り替えられることにより、マルチパス等化処理、バイパス処理及びＳＡＷフィルタによる隣接チャンネル信号の抑圧処理の３つの使用態様に対応することが可能である。
【００２１】
図２は、本発明の一実施形態に係るマルチパス等化内蔵受信変換装置の使用態様と第１及び第２のスイッチ１９，１１０の関係を示す図である。
【００２２】
第１のスイッチ１９を任意に設定し、第２のスイッチ１１０をマルチパス等化部１５側に切り替える場合、マルチパス等化内蔵受信変換装置は、マルチパス等化部１５から出力された信号を後段へ出力することが可能となる。これにより、スイッチ１９，１１０を切り替えることで、マルチパスによる波形歪みの補償の要求に応じることが可能となる。
【００２３】
また、第１のスイッチ１９を分配部１６からのバイパス信号を導出するように切り替え、第２のスイッチ１１０を第１のスイッチ１９からのＩＦ信号を導出するように切り替える場合、マルチパス等化内蔵受信変換装置は、ＳＡＷフィルタ１３を一段のみ通過させたＩＦ信号を後段へ出力することが可能となる。これにより、マルチパス等化部１５が故障等した場合のバイパス処理に対応することが可能となる。
【００２４】
また、第１のスイッチ１９をＳＡＷフィルタ１８側に切り替え、第２のスイッチ１１０を第１のスイッチ１９からのＩＦ信号の導出に切り替える場合、マルチパス等化内蔵受信変換装置は、二段のＳＡＷフィルタ、つまりＳＡＷフィルタ１３及びＳＡＷフィルタ１８を通過させたＩＦ信号を後段へ出力することが可能となる。これにより、マルチパス等化内蔵受信変換装置は、放送波信号を二段のＳＡＷフィルタに通過させて所望チャンネル信号のみを抽出して後段へ出力することが可能となる。
【００２５】
以上のように、上記一実施形態では、第１及び第２のスイッチ１９，１１０を切り替えることにより、マルチパス等化内蔵受信変換装置の使用態様を切り替えることが可能である。これにより、マルチパス等化内蔵受信変換装置は、状況に応じて、マルチパス等化処理、バイパス処理及び二段のＳＡＷフィルタによる隣接チャンネル信号の抑圧処理のいずれかに処理を切り替えることが可能となる。
【００２６】
したがって、本発明に係るマルチパス等化内蔵受信変換装置は、マルチパス等化処理を行う受信変換装置と、ＳＡＷフィルタを二段備えて隣接チャンネル信号を抑圧する受信変換装置との両方に対応することができる。
【００２７】
なお、この発明は上記一実施形態に限定されるものではない。例えば上記一実施形態では、分配部１４で分配されたＩＦ信号が分配部１６によりさらに２系統に分配され、第１のスイッチ１９でそれらのＩＦ信号を選択的に切り替える例について説明したが、分配部１６の代わりに切換器を設け、スイッチ１９の代わりに合成器を設ける場合であっても同様に実施可能である。この場合、分配部１４で分配されたＩＦ信号を切替器により導出先を選択的に切り替え、それぞれの系統からの出力を合成器により合成するようにする。
【００２８】
さらに、この発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２９】
【図１】本発明の一実施形態に係るマルチパス等化内蔵受信変換装置の機能構成を示すブロック図である。
【図２】図１のマルチパス等化内蔵受信変換装置の使用態様と第１及び第２のスイッチの関係を示す図である。
【符号の説明】
【００３０】
１１…ダウンコンバータ
１２…シンセサイザ
１３…ＳＡＷフィルタ
１４…分配部
１５…マルチパス等化部
１６…分配部
１７…アップコンバータ
１８…ＳＡＷフィルタ
１９…第１のスイッチ
１１０…第２のスイッチ
１１１…ＡＧＣ
【図１】
2010154118.tif 000003
【図２】
2010154118.tif 000004